(57)【要約】【課題】押しボタンを押圧操作した際に容器に被せたキャップが外れてしまうことを防止した全量噴射型のエアゾール装置を提供する。【解決手段】容器に収容された内容物を全量的に噴射する全量噴射型のエアゾール装置であって、容器に被せるキャップ本体５と、キャップ本体５に一端側が支持されると共に、他端側を固定位置まで押圧操作することにより、容器に設けられたステムを押圧し、当該ステムから噴出された内容物を噴射口より噴射する押しボタン６とを備え、キャップ本体５には、押しボタン６を固定位置に係止する係止部２１と、押しボタン６を係止部２１に係止する際に発生する応力を逃がす応力緩和部２３とが設けられている。【選択図】図１
2007136282.tif 000002
【特許請求の範囲】
【請求項１】
容器に収容された内容物を全量的に噴射する全量噴射型のエアゾール装置であって、
前記容器に被せるキャップ本体と、前記キャップ本体に一端側が支持されると共に、他端側を固定位置まで押圧操作することにより、前記容器に設けられたステムを押圧し、当該ステムから噴出された内容物を噴射口より噴射させる押しボタンとを備え、
前記キャップ本体には、前記押しボタンを前記固定位置に係止する係止部と、前記押しボタンを前記係止部に係止する際に発生する応力を逃がす応力緩和部とが設けられていることを特徴とするエアゾール装置。
【請求項２】
前記応力緩和部は、前記キャップ本体を一部切り欠いた切欠き部であることを特徴とする請求項１に記載のエアゾール装置。
【請求項３】
前記応力緩和部は、前記キャップ本体の肉厚を一部薄くした薄肉部であることを特徴とする請求項１に記載のエアゾール装置。
【請求項４】
前記応力緩和部は、前記係止部を挟んだ両側に一対設けられていることを特徴とする請求項１〜３の何れか一項に記載のエアゾール装置。
【請求項５】
前記押しボタンには、前記固定位置にて前記キャップ本体に当接される当接部が設けられ、
前記当接部は、前記固定位置にて前記キャップ本体よりも外側に張り出していることを特徴とする請求項１〜４の何れか一項に記載のエアゾール装置。
【発明の詳細な説明】
【技術分野】
【０００１】
本発明は、容器に収容された内容物を全量的に噴射する全量噴射型のエアゾール装置に関する。
【背景技術】
【０００２】
従来より、スプレー缶に収容された殺虫剤や忌避剤、芳香剤、消臭剤などの薬剤を全量的に噴射する全量噴射型のエアゾール装置がある（例えば、特許文献１〜３を参照。）。この全量噴射型のエアゾール装置は、スプレー缶の上部に噴射装置となるノズルキャップを取り付けて、このキャップに設けられた押しボタンを押すことにより、押しボタンが噴射位置に固定され、スプレー缶の内容物がノズルから全量噴射されるよう設計されたものである。このような全量噴射型のエアゾール装置は、例えば室内のゴキブリやダニ、ノミ、トコジラミなどの害虫を一度に駆除することができるため、一般家庭や飲食店などで広く利用されている。
【特許文献１】特開２００２−２５５２６５号公報
【特許文献２】特開２００２−１４３７３３号公報
【特許文献３】特開２００２−１７２６１６号公報
【発明の開示】
【発明が解決しようとする課題】
【０００３】
ところで、上述した全量噴射型のエアゾール装置は、通常は床面に置いた状態で使用されるものであり、使用者が手指や足などで押しボタンを押圧操作することにより作動が行われる。しかしながら、従来の全量噴射型のエアゾール装置では、押しボタンを必要以上に押し過ぎたりすると、ノズルキャップがスプレー缶から外れてしまうことがあった。また、押しボタンを過剰に押し過ぎると、この押しボタンが本来の固定位置よりも更にキャップの内側に押し込まれた状態となり、押しボタンを固定位置に適切に固定することができなくなることもあった。
【０００４】
そこで、本発明は、このような従来の事情に鑑みて提案されたものであり、押しボタンを押圧操作した際に容器に被せたキャップが外れてしまうことを防止し、押しボタンを固定位置に適切に固定することができる全量噴射型のエアゾール装置を提供することを目的とする。
【課題を解決するための手段】
【０００５】
この目的を達成するために、請求項１に記載の発明は、容器に収容された内容物を全量的に噴射する全量噴射型のエアゾール装置であって、容器に被せるキャップ本体と、キャップ本体に一端側が支持されると共に、他端側を固定位置まで押圧操作することにより、容器に設けられたステムを押圧し、当該ステムから噴出された内容物を噴射口より噴射させる押しボタンとを備え、キャップ本体には、押しボタンを固定位置に係止する係止部と、押しボタンを係止部に係止する際に発生する応力を逃がす応力緩和部とが設けられていることを特徴とするエアゾール装置である。
また、請求項２に記載の発明は、応力緩和部が、前記キャップ本体を一部切り欠いた切欠き部であることを特徴とする請求項１に記載のエアゾール装置である。
また、請求項３に記載の発明は、応力緩和部が、キャップ本体の肉厚を一部薄くした薄肉部であることを特徴とする請求項１に記載のエアゾール装置である。
また、請求項４に記載の発明は、応力緩和部が、係止部を挟んだ両側に一対設けられていることを特徴とする請求項１〜３の何れか一項に記載のエアゾール装置である。
また、請求項５に記載の発明は、押しボタンに、固定位置にてキャップ本体に当接される当接部が設けられ、当接部は、固定位置にてキャップ本体よりも外側に張り出していることを特徴とする請求項１〜４の何れか一項に記載のエアゾール装置である。
【発明の効果】
【０００６】
以上のように、本発明によれば、押しボタンを係止部に係止する際に発生する応力をキャップ本体に設けられた応力緩和部が逃がすことから、このような簡便な構造によって、押しボタンを押圧操作した際にキャップ本体が容器から外れてしまうことを防止することができる。
また、本発明によれば、押しボタンに設けられた当接部が固定位置にてキャップ本体よりも外側に張り出していることから、このような簡便な構造によって、押しボタンを押圧操作した際に、この押しボタンが固定位置よりも更にキャップ本体の内側に押し込まれることを防止することができる。
したがって、本発明に係るエアゾール装置では、容器に収容された内容物を全量噴射させるための操作を安定して行うことが可能であり、これにより、更なる使い勝手の向上を図ることが可能である。
【発明を実施するための最良の形態】
【０００７】
以下、本発明を適用したエアゾール装置について、図面を参照して詳細に説明する。
（第１の実施の形態）
先ず、本発明の第１の実施の形態として、例えば図１、図２及び図３に示す全量噴射型のエアゾール装置１について説明する。
このエアゾール装置１は、内容物が収容された容器であるスプレー缶２に取り付けられて、このスプレー缶２に収容された内容物を全量的に噴射するノズルキャップ３を備えている。
【０００８】
スプレー缶２は、例えばスチールやアルミニウム等からなる金属製の耐圧容器である。このスプレー缶２には、内容物として、例えば殺虫剤や忌避剤、殺菌剤、芳香剤、消臭剤などの中から選ばれる有効成分の他に必要に応じて溶剤や補助剤などを含む原液と、液体ガスや圧縮ガスなどの噴射剤とが充填されている。また、スプレー缶２は、その上部中央から突出して設けられ、且つ、上方に付勢された状態で上下方向に移動可能に支持されたステム４と、このステム４を下方に押圧することにより開放されるバルブ機構（図示せず。）とを備えている。
【０００９】
ノズルキャップ３は、スプレー缶２の上部に取り付けられたキャップ本体５と、スプレー缶２のステム４を押圧するための押しボタン６と、スプレー缶２のステム４を押圧することにより当該ステム４から噴出された内容物を噴射する噴射ノズル７とを備えている。
【００１０】
キャップ本体５は、スプレー缶２の上部に被せるプラスチック製のカバー部材である。このキャップ本体５の材料としては、例えば、ポリエチレン(ＰＥ)、ポリプロピレン(ＰＰ)等のポリオレフィン系プラスチックが好ましく、その他にもポリエチレンテレフタレート(ＰＥＴ)等の弾性を有するプラスチック材料を用いることができる。なお、キャップ本体５の厚みは、１〜５ｍｍ程度である。
【００１１】
このキャップ本体５は、円筒状をなすスプレー缶２の胴体２ａと外径がほぼ等しい略円筒状の周壁を形成する肩カバー８を有しており、この肩カバー８の下端部にスプレー缶２の胴体２ａの上端部を嵌め込む構造となっている。具体的に、スプレー缶２の胴体２ａの上端部には、リング状の凹部９が外周面の全周に亘って設けられている。一方、肩カバー８の下端部には、リング状の凸部１０が内周面の全周に亘って設けられている。キャップ本体５は、この肩カバー８の凸部１０をスプレー缶２の凹部９に嵌合させることにより、スプレー缶２の上部に被せることが可能となっている。また、ノズルキャップ３は、このような嵌合構造とすることで、押しボタン６を押圧操作した際にスプレー缶２に被せたキャップ本体５が容易に外れてしまうことを防止している。
【００１２】
なお、このエアゾール装置１には、更にノズルキャップ３に被せるプラスチック製のキャップカバー１１が設けられており、このキャップカバー１１は、ノズルキャップ３に対しては容易に取り外しが可能となっている。
【００１３】
キャップ本体５は、肩カバー８の上面を覆う天上部１２を有しており、この天井部１２は、肩カバー８の前面側からドーム状に立ち上る前面壁１２ａと、この前面壁１２ａの背面側を形成する平板状の背面壁１２ｂと、この背面壁１２ｂの背面側において平坦面を形成する平坦壁１２ｃとから構成されている。また、前面壁１２ｂには、後述する押しボタン５の一端側に設けられた噴射ノズル７を外方に臨ませるノズル用開口部１３が設けられ、平坦壁１２ｃには、後述する押しボタン６の他端側に設けられた操作部１６を外方に臨ませるボタン用開口部１４が設けられている。そして、背面壁１２ｂは、これらノズル用開口部１３とボタン用開口部１４との間を遮るように設けられている。
【００１４】
押しボタン６は、キャップ本体５に取り付けられたプラスチック製の操作部材であり、その一端側に設けられた支持部１５と、その他端側、すなわち支持部１５とは反対側に設けられた操作部１６とを有している。支持部１５には、互いに対向する面から逆向きに突出された一対の支軸１５ａ，１５ａが設けられ、これら一対の支軸１５ａ，１５ａがキャップ本体５の内側に設けられた一対の軸受部１７，１７に軸支されている。これにより、支持部１５は、キャップ本体５に回動可能に支持されている。一方、操作部１６は、この支持部１５を支点に上下方向に揺動可能となっている。したがって、押しボタン６は、ボタン用開口部１４から外方に臨む操作部１６を押圧操作することで、スプレー缶２のステム４を押圧することが可能となっている。
【００１５】
また、押しボタン６には、この押しボタン６の下面中央に配置されて、スプレー缶のステム４と嵌合される嵌合部１８と、この嵌合部１８と連通されて、ステム４から噴出された内容物を噴射ノズル７へと導く流路１９とが設けられている。
【００１６】
噴射ノズル７は、押しボタン６の一端側に取り付けられたノズル部材である。具体的に、この噴射ノズル７は、押しボタン６の取付位置から前方に向かって延長され、且つ、その先端部がノズル用開口部１２から外方に臨むように斜め上方に向かって屈曲した形状を有している。この噴射ノズル７は、押しボタン６の流路１９と連通されて、その先端部に設けられた噴射口７ａよりステム４から噴出された内容物を噴射する。
【００１７】
ところで、ノズルキャップ３には、押しボタン６を押圧操作した際に、この押しボタン６を固定位置に固定するためのロック機構２０が設けられている。具体的に、このロック機構２０は、キャップ本体５側に配置されて、押しボタン６を固定位置に係止する係止部２１と、押しボタン６側に配置されて、キャップ本体５側の係止部２１に係止される被係止部２２とを有している。係止部２１は、例えば肩カバー８の背面側の上端部に位置して、平坦壁１２ｃの一部がボタン用開口部１４の周縁部に沿って僅かに突出した突条部からなる。一方、被係止部２２は、例えば押しボタン６の肩カバー８の背面側と対向する側面から突出した突起部からなる。
【００１８】
このロック機構２０では、上方に付勢されたステム４の付勢力に抗して押しボタン６を押し下げると、被係止部（突起部）２２が肩カバー８の係止部（突条部）２１に摺接しながら、この係止部２１を乗り越える。このとき、押しボタン６に対する押圧を解除すると、上方に付勢されたステム４が押しボタン６を上方に向かって押圧するものの、押しボタン６の被係止部２２が肩カバー８の係止部２１を乗り越えることなく、この係止部２１に係止された状態となる。これにより、押しボタン６を固定位置、すなわち、この押しボタン６を押圧操作することにより、ステム４を押圧し、このステム４から噴出された内容物が噴射ノズル７の噴射口７ａから噴射される噴射位置に固定することができる。
【００１９】
また、キャップ本体５には、押しボタン６を係止部２１に係止する際に発生する応力を逃がす応力緩和部２３が設けられている。この応力緩和部２３は、例えばキャップ本体５を一部切り欠いた切欠き部（スリット）からなる。具体的に、キャップ本体５には、肩カバー８の背面側の上端部から押しボタン６の押圧方向の中途部に亘って切り欠かれた直線状のスリット２３ａが設けられている。なお、このスリット２３ａの幅は、０．１〜１０ｍｍ程度である。また、スリット２３ａの深さは、被係止部２２の長さの１〜５倍程度であり、好ましくは、２〜３倍である。
【００２０】
このスリット２３ａは、係止部２１を挟んだ両側に一対並んで設けられている。また、係止部２１を挟んだ一対のスリット２３ａ，２３ａの間は、押しボタン６に対して接離可能な方向に弾性変形可能とされた弾性変形部２３ｂを構成している。
ここで、一対のスリット２３ａ，２３ａの間隔は、被係止部（突起部）２２の幅に対して、２〜８倍とすることが好ましく、更に好ましくは３〜６倍である。これは、２倍未満になると、被係止部２２を係止部２１に安定して係止することが困難となり、噴射不良が生じ易くなり、８倍を超えると、弾性変形部２３ｂが弾性変形し難くなり、押しボタン６を係止部２１に係止する際に発生する応力を逃がすことが困難となるためである。
【００２１】
また、押しボタン６には、前記固定位置にてキャップ本体５に当接される当接部２４が設けられている。この当接部２４は、例えば押しボタン６の前記被係止部２２が形成された側面の上端部から突出した鍔部からなる。押しボタン６は、前記固定位置にて肩カバー８の背面側の上端部（係止部２１）に当接部（鍔部）２４が当接されることによって、それ以上の押圧方向の移動が規制される。
【００２２】
ここで、当接部２４は、肩カバー８の背面側の上端部に当接されたとき、この肩カバー８よりも外側に張り出していることが好ましい。これにより、押しボタン６を押圧操作した際に、当接部２４が係止部２１を乗り越えて、押しボタン６が前記固定位置よりも更にキャップ本体５の内側に押し込まれることを防止することができる。
【００２３】
以上のような構造を有するエアゾール装置１は、通常は床面等に置いた状態で、使用者が手指等でノズルキャップ３の押しボタン６を押圧操作することにより作動が行われる。すなわち、このエアゾール装置１では、ノズルキャップ３の押しボタン６を押圧操作し、スプレー缶２のステム４が押圧されると、噴射剤の圧力によりステム４から噴出された内容物が噴射ノズル７の噴射口７ａから空中へと霧状となって噴射される。また、このエアゾール装置１では、押しボタン６がロック機構２０により固定位置に固定されるため、ステム４の押圧状態が保持される。これにより、スプレー缶２のバルブ機構を開放状態としたまま、このスプレー缶２に収容された内容物が無くなるまで噴射が継続され、噴射剤によるガス圧が消失したところで噴射が終了する。したがって、このエアゾール装置１では、一度の押圧操作でスプレー缶２に収容された内容物を全量的に噴射することができる。
【００２４】
ところで、本発明を適用したエアゾール装置１では、上述したように、押しボタン６を係止部２１に係止する際に発生する応力を逃がす応力緩和部２３が設けられている。
この場合、上述した押しボタン６の押圧操作によって、押しボタン６の被係止部２２が肩カバー８の係止部２１に係止されるとき、このスプレー缶２の上部に被せた肩カバー８のうち、一対のスリット２３ａ，２３ａの間に位置する弾性変形部２３ｂのみが弾性変形することになる。このため、押しボタン６を係止部２１に係止する際に発生する応力は、肩カバー８の凸部１０とスプレー缶２の凹部９と嵌合位置に集中することはなく、この応力を一対のスリット２３ａ，２３ａの間で適度に緩和することができる。
したがって、本発明を適用したエアゾール装置１では、このような簡便な構造によって、押しボタン６を押圧操作した際にキャップ本体５がスプレー缶２から外れてしまうことを防止することができる。
【００２５】
また、本発明を適用したエアゾール装置１では、上述したように、押しボタン６に設けられた当接部２４が固定位置にてキャップ本体５よりも外側に張り出していることから、このような簡便な構造によって、押しボタン６を押圧操作した際に、この押しボタン６が固定位置よりも更にキャップ本体５の内側に押し込まれることを防止し、押しボタン６を固定位置に適切に固定することができる。
【００２６】
以上のように、本発明を適用したエアゾール装置１では、スプレー缶２に収容された内容物を全量噴射させるための操作を安定して行うことが可能であり、これにより、更なる使い勝手の向上を図ることが可能である。
【００２７】
なお、応力緩和部２３は、上述した図１に示す直線状のスリット２３ａ以外にも、例えば、図４（ａ）に示すように、スリット２３ａの幅が異なったものや、図４（ｂ）に示すように、スリット２３ａの幅が変化したもの、図４（ｃ），（ｄ）に示すように、一対のスリット２３ａ，２３ａの間隔が変化したものであってもよい。
また、例えば図４（ｅ）に示すように、スリット２３ａの深さ方向の端部に、このスリット２２ａの幅よりも大きい孔部２３ｃを設けることもでき、これにより、更に応力が集中することを防ぐことができる。
また、応力緩和部２３は、スリット２３ａに接続部分を設けることもできる。
また、応力緩和部２３は、キャップ本体５を一部切り欠いた切欠き部２３ａ以外にも、例えば図５に示すように、キャップ本体５の肉厚を一部薄くした薄肉部２３ｄであってよい。
【００２８】
なお、本発明を適用したエアゾール装置１では、上述した応力緩和部２３をキャップ本体５側に設けた構成となっているが、このような応力緩和部２３を押しボタン６側に設けた構成とすることも可能である。
【００２９】
（第２の実施の形態）
次に、本発明の第２の実施の形態として図６及び図７に示す全量噴射型のエアゾール装置３１について説明する。
このエアゾール装置３１は、いわゆる足踏み式の全量噴射型エアゾール装置であり、スプレー缶３２に取り付けられて、このスプレー缶３２に収容された内容物を全量的に噴射するノズルキャップ３３を備えている。
ノズルキャップ３３は、スプレー缶３２の上部に被せるキャップ本体３５と、スプレー缶３２のステム３４を押圧するための押圧操作部３６と、スプレー缶３２のステム３４を押圧することにより当該ステム３４から噴出された内容物を噴射する噴射ノズル３７とを備えている。
【００３０】
キャップ本体３５は、スプレー缶３２の上部に被せるプラスチック製のカバー部材である。このキャップ本体３５は、円筒状をなすスプレー缶３２の胴体３２ａから上方に向かって縮径された肩部と外径がほぼ等しい略円筒状の肩カバー３８を有している。キャップ本体３５は、この肩カバー３８の内側に設けられたリング状の凸部４０をスプレー缶３２の肩部に設けられたリング状の凹部３９に嵌合させることにより、スプレー缶３２の肩部に被せることが可能となっている。なお、スプレー缶３２は、後述するペダル４３を踏み込んだときに、当該スプレー缶３２が転倒しないように、例えば底部の直径に対して高さが１倍以下に設定されている。
【００３１】
押圧操作部３６は、キャップ本体３５と一体に形成されてなる。具体的に、キャップ本体３５の上面部は、その中央部からドーム状に立ち上がった押圧操作部３６と、この押圧操作部３６の周囲において平坦面を形成する平坦壁４１とから構成されている。そして、押圧操作部３６は、その一端側に設けられた支持部４２を残して、この押圧操作部３６の周囲にある平坦壁を切り欠くことによって、キャップ本体３５と一体に形成されている。これにより、押圧操作部３６は、支持部４２を支点に上下方向に弾性変位させることが可能となっている。また、押圧操作部３６の他端側、すなわち支持部４２とは反対側には、ペダル４３が設けられている。押圧操作部３６は、このペダル４３を足踏み操作することで、スプレー缶２のステム４を押圧することが可能となっている。
【００３２】
また、押圧操作部３６には、この押圧操作部３６の下面中央に配置されて、スプレー缶３２のステム３４と嵌合される嵌合部４４と、この嵌合部４４と連通されて、ステム３４から噴出された内容物を噴射ノズル３７へと導く流路４５とが設けられている。
【００３３】
噴射ノズル３７は、押圧操作部３６の上部に取り付けられたノズル部材であり、押圧操作部３６の流路４５と連通されて、その先端部に設けられた噴射口３７ａよりステム３４から噴出された内容物を噴射する。
【００３４】
また、ノズルキャップ３３には、ペダル４３を足踏み操作した際に、押圧操作部３６を固定位置に固定するためのロック機構５０が設けられている。具体的に、このロック機構５０は、キャップ本体３５側に配置されて、押圧操作部３６を固定位置に係止する係止部５１と、押圧操作部３６側に配置されて、キャップ本体３５側の係止部５１に係止される被係止部５２とを有している。係止部５１は、例えば肩カバー３８の背面側の上端部に位置して、平坦壁４１の一部が押圧操作部３６の周囲に沿って突出した突条部からなる。一方、被係止部５２は、例えば押圧操作部３６の肩カバー３８の背面側と対向する側面から突出した突起部からなる。
【００３５】
このロック機構５０では、ペダル４３を足踏み操作し、上方に付勢されたステム３４の付勢力に抗して押圧操作部３６を押し下げると、被係止部（突起部）５２が肩カバー３８の係止部（突条部）５１に摺接しながら、この係止部５１を乗り越える。このとき、ペダル４３に対する押圧を解除すると、上方に付勢されたステム３４が押圧操作部３６を上方に向かって押圧するものの、押圧操作部３６の被係止部５２が肩カバー３８の係止部５１を乗り越えることなく、この係止部５１に係止された状態となる。これにより、押圧操作部３６を固定位置、すなわち、ペダル４３を足踏み操作することにより、ステム３４を押圧し、このステム３４から噴出された内容物が噴射ノズル３７の噴射口３７ａから噴射される噴射位置に固定することができる。
【００３６】
また、キャップ本体３５には、押圧操作部３６を係止部５１に係止する際に発生する応力を逃がす応力緩和部５３が設けられている。この応力緩和部５３は、例えばキャップ本体３５を一部切り欠いた切欠き部（スリット）からなる。具体的に、キャップ本体３５には、肩カバー８の背面側の上端部から押圧操作部３６の押圧方向の中途部に亘って切り欠かれた直線状のスリット５３ａが設けられている。このスリット５３ａは、係止部５１を挟んだ両側に一対並んで設けられている。また、係止部５１を挟んだ一対のスリット５３ａ，５３ａの間は、押圧操作部３６に対して接離可能な方向に弾性変形可能とされた弾性変形部５３ｂを構成している。
【００３７】
以上のような構造を有するエアゾール装置３１は、通常は床面等に置いた状態で、使用者が足等でノズルキャップ３３のペダル４３を足踏み操作することにより作動が行われる。すなわち、このエアゾール装置３１では、ノズルキャップ３のペダル４３を足踏み操作し、押圧操作部３６がスプレー缶３２のステム３４を押圧すると、噴射剤の圧力によりステム３４から噴出された内容物が噴射ノズル３７の噴射口３７ａから空中へと霧状となって噴射される。また、このエアゾール装置３１では、押圧操作部３６がロック機構５０により固定位置に固定されるため、ステム３４の押圧状態が保持される。これにより、スプレー缶３２のバルブ機構を開放状態としたまま、このスプレー缶３２に収容された内容物が無くなるまで噴射が継続され、噴射剤によるガス圧が消失したところで噴射が終了する。したがって、このエアゾール装置３１では、一度の押圧操作でスプレー缶３２に収容された内容物を全量的に噴射することができる。
【００３８】
ところで、本発明を適用したエアゾール装置３１では、上述したように、押圧操作部３６を係止部５１に係止する際に発生する応力を逃がす応力緩和部５３が設けられている。
この場合、上述したペダル４３の足踏み操作によって、押圧操作部３６の被係止部５２が肩カバー８の係止部５１に係止されるとき、このスプレー缶３２の上部に被せた肩カバー８のうち、一対のスリット５３ａ，５３ａの間に位置する弾性変形部５３ｂのみが弾性変形する。このため、押圧操作部３６を係止部５１に係止する際に発生する応力は、肩カバー３８の凸部４０とスプレー缶３２の凹部３９と嵌合位置に集中することはなく、この応力を一対のスリット５３ａ，５３ａの間で適度に逃がすことができる。
【００３９】
したがって、本発明を適用したエアゾール装置３１では、このような簡便な構造によって、ペダル４３を足踏み操作した際にキャップ本体３５がスプレー缶３２から外れてしまうことを防止することができる。そして、スプレー缶３２に収容された内容物を全量噴射させるための操作を安定して行うことが可能であり、これにより、更なる使い勝手の向上を図ることが可能である。
【００４０】
なお、上述した噴射ノズル７，３７は、その配置や向き、形状等については任意であり、例えば斜め上方を向いたものや、真上を向いたものであってもよく、さらに、複数設けられたものであってもよい。
また、上述したロック機構２０，５０は、被係止部２２，５２が係止部２１，５１に係止される構成であれば、上述した突起部が突条部に係止される構成に限らず、その形状や組合せ等について任意に変更することができる。
また、上述した当接部２４，５４についても、固定位置にてキャップ本体５，３５に当接される構成であれば、上述した鍔部に限らず、その形状等については任意に変更することができる。
【００４１】
なお、本発明は、上述したエアゾール装置１，３１に適用したものに必ずしも限定されるものではなく、種々の全量噴射型のエアゾール装置に適用することができる。すなわち、全量噴射型のエアゾール装置に本発明を適用すれば、押しボタンを係止部に係止する際に発生する応力をキャップ本体に設けられた応力緩和部が逃がすことで、キャップ本体が容器から外れてしまうことを防止することができる。
【実施例】
【００４２】
以下、実施例により本発明の効果をより明らかなものとする。なお、本発明は、以下の実施例に限定されるものではなく、その要旨を変更しない範囲で適宜変更して実施することができる。
本実施例では、図８に模式的に示すように、上記第１の実施の形態として示すエアゾール装置１において、被係止部（突起部）のロック幅Ｒに対して、一対のスリットのスリット間隔Ｗを変化させた際の押しボタンの押し荷重を測定した結果を表１に示す。
【００４３】
なお、図８に示すロック幅Ｒは５ｍｍであり、スリット幅ｎは２ｍｍであり、スリットの深さｄは、１５ｍｍである。肩カバーはポリプロピレンからなり、その厚みは１．０ｍｍである。また、表１中の（  ）内は、スリット間隔Ｗとロック幅Ｒとの比Ｗ／Ｒを表す。また、押し荷重については、プッシュプルゲージを用いて測定を３回行い、その平均値を求めた。また、参考として、従来のように一対のスリットを設けていない場合（Ｗ／Ｒ＝０）についても測定を行った。
【００４４】
【表１】
2007136282.tif 000003
【００４５】
表１に示す測定結果から、Ｗ／Ｒ＝０の場合、すなわち、従来のように一対のスリットを設けていない場合には、一対のスリットを設けた場合よりも、押しボタンを押圧操作したときの押し荷重が強くなることがわかる。この場合、押しボタンを押圧操作した際にノズルキャップがスプレー缶から外れやすくなる。
しかしながら、一対のスリットを設けた場合でも、Ｗ／Ｒ＝１０の場合には、一対のスリットを設けていない場合と押し荷重があまり差がないことがわかる。
一方、Ｗ／Ｒの値が２〜８の範囲にある場合には、押しボタン６を押圧操作したときの押し荷重が小さくなるために、ノズルキャップがスプレー缶から外れることはなく、肩カバーの変形も見られなかった。以上のことから、Ｗ／Ｒの値は、２〜８の範囲にすることが好ましく、特に３〜６の範囲が好ましいことがわかった。
なお、肩カバーの被係止部（突起部）と対向する中央部に１本のスリットを設けた場合には、押し荷重が２２Ｎ程度となり、スリットを設けていない場合よりも押し荷重が低下することがわかった。
【図面の簡単な説明】
【００４６】
【図１】図１は、本発明を適用したエアゾール装置を背面側から見た斜視図であり、押しボタンを押圧操作する前の状態を示す図である。
【図２】図２は、図１に示すエアゾール装置を背面側から見た斜視図であり、押しボタンを押圧操作した後の状態を示す図である。
【図３】図３は、図１に示すエアゾール装置の断面図である。
【図４】図４は、スリットの変形例を示す模式図である。
【図５】図５は、応力緩和部を薄肉部した場合の斜視図である。
【図６】図６は、本発明を適用した別のエアゾール装置を示す断面図である。
【図７】図７は、図６に示すエアゾール装置の背面図である。
【図８】図８は、実施例における各部の寸法を示す模式図である。
【符号の説明】
【００４７】
１…エアゾール装置  ２…スプレー缶（容器）  ３…ノズルキャップ  ４…ステム  ５…キャップ本体  ６…押しボタン  ７…噴射ノズル  ７ａ…噴射口  ８…肩カバー  ２０…ロック機構  ２１…係止部（突条部）  ２２…被係止部（突起部）  ２３…応力緩和部  ２３ａ…スリット（切欠き部）  ２３ｂ…弾性変形部  ２３ｃ…孔部  ２３ｄ…薄肉部  ２４…当接部  ３１…エアゾール装置  ３２…スプレー缶（容器）  ３３…ノズルキャップ  ３４…ステム  ３５…キャップ本体  ３６…押圧操作部  ３７…噴射ノズル  ３７ａ…噴射口  ３８…肩カバー  ４３…ペダル  ５０…ロック機構  ５１…係止部（突条部）  ５２…被係止部（突起部）  ５３…応力緩和部  ５３ａ…スリット（切欠き部）  ５３ｂ…弾性変形部
【図１】
2007136282.tif 000004
【図２】
2007136282.tif 000005
【図３】
2007136282.tif 000006
【図４】
2007136282.tif 000007
【図５】
2007136282.tif 000008
【図６】
2007136282.tif 000009
【図７】
2007136282.tif 000010
【図８】
2007136282.tif 000011